(57)【特許請求の範囲】
【請求項１】
左右に立設した支柱間に、複数の横連結杆を架設し、上下方向に形成された複数の各矩形枠内の上下面における前後に、それぞれ上下方向に対向する各１対の係止片を設けるとともに、パネル材の上下端部に係合部を設けて、この係合部に前記係止片を係着させることにより、矩形枠の前後両面にパネル材を取り付けてなる間仕切パネル装置であって、
パネル材を、方形の金属板の内面の少なくとも上下端縁が内向きコ字状に屈曲されたパネル材本体によって形成し、このパネル材本体の内向きコ字状をなす上端縁における遊片と、パネル材本体に別途設けた挟着部材が備える弾性遊片とを、前後方向に対向させることによって、上下方向の外向きに拡開する係合部を形成し、この係合部に、前記矩形枠内の上面における係止片を弾性的に挟着させることにより、矩形枠の前後両面にパネル材の上端部を取り付けるようにしたことを特徴とする間仕切パネル装置。
【請求項２】
挟着部材を、パネル材本体の遊片に取り付けた請求項１記載の間仕切パネル装置。
【請求項３】
挟着部材を、パネル材における上端部の左右方向に所望の間隔をとって複数設けた請求項１または２記載の間仕切パネル装置。
【請求項４】
挟着部材を、相互に近接する方向に弾性が作用する前後１対の弾性遊片の上端部間を拡開して形成し、これら前後の弾性遊片でもってパネル材本体における上端縁の内向きコ字状の遊片を挟持可能にするとともに、この遊片を挟持した１対の弾性遊片のうちの前後方向の外側に位置する弾性遊片に、前記遊片に向けて折曲した下向き係止爪を形成し、かつこの係止爪を、前記遊片に設けた係合孔に係着させることにより、パネル材の上端部に挟着部材を取り付けた請求項１〜３のいずれかに記載の間仕切パネル装置。
【請求項５】
パネル材本体の下端縁における内向きコ字状の遊片を、断面が外向きコ字状になるように屈曲して、上下方向の外向きに開口する係合溝を形成するとともに、この係合溝に、矩形枠内の下面における係止片を係着させることにより、矩形枠の前後両面にパネル材の下端部を取り付けるようにした請求項１〜４のいずれかに記載の間仕切パネル装置。
【発明の詳細な説明】
【技術分野】
【０００１】
本発明は、現場における施工が容易であるとともに、施工後の強度が大きい間仕切パネル装置に関する。
【背景技術】
【０００２】
たとえば、本願出願人が先に出願し公開された特許文献１には、左右に立設した支柱間に、複数の横連結杆を架設することにより、上下方向に複数の矩形枠を形成し、これらの各矩形枠内の上下面における前後に、上下方向に対向する各１対の係止片をそれぞれ設けるとともに、パネル材の上下端部に設けた係合溝に、前記係止片を係着させることにより、矩形枠の前後両面にパネル材を取り付けてなる間仕切パネル装置が開示されている。
【０００３】
このような間仕切パネル装置は、パネル材を、方形の金属板の少なくとも上下周縁を内向きコ字状に屈曲して形成したパネル材本体の内面の上下端部に、断面が外向きコ字状になるように屈曲した補強部材を、接着あるいは溶接することにより固着するとともに、パネル材本体の上下端部における内向きコ字状の遊片と、補強部材の遊片との両者を、前後方向に対向させて、上下方向の外向きに開口する係合溝を形成し、この係合溝に前記矩形枠内の上下面における係止片を係着しうるようになっている。
【０００４】
しかし、前記した特許文献１に記載のものは、パネル材の製造に際して、係合溝を形成するための補強部材を必要とするのみならず、この補強部材の接着工程あるいは溶接工程を要することから、多数の組立工数により、生産効率が劣るため、この視点からの改良を図ることにより、工場におけるパネル材の生産効率を高めることが望まれている。
【特許文献１】特開２００７−０１６５２６号公報
【発明の開示】
【発明が解決しようとする課題】
【０００５】
本発明は、前記の現状に鑑み、パネル材の製造に際して、組立工数を削減して、生産効率を高めるとともに、矩形枠への取り付けを簡易化することにより、現場において短時間に組み付けることができるようにして、施工能率に優れ、かつ地震の振動や衝撃等によるパネル材の脱落を有効に防止することができるようにした間仕切パネル装置を提供することを目的とする。
【課題を解決するための手段】
【０００６】
上記課題は、「特許請求の範囲」における各請求項に示すように、次のように構成からなる発明によって解決される。
【０００７】
（１）  左右に立設した支柱間に、複数の横連結杆を架設し、上下方向に形成された複数の各矩形枠内の上下面における前後に、それぞれ上下方向に対向する各１対の係止片を設けるとともに、パネル材の上下端部に係合部を設けて、この係合部に前記係止片を係着させることにより、矩形枠の前後両面にパネル材を取り付けてなる間仕切パネル装置であって、パネル材を、方形の金属板の内面の少なくとも上下端縁が内向きコ字状に屈曲されたパネル材本体によって形成し、このパネル材本体の内向きコ字状をなす上端縁における遊片と、パネル材本体に別途設けた挟着部材が備える弾性遊片とを、前後方向に対向させることによって、上下方向の外向きに拡開する係合部を形成し、この係合部に、前記矩形枠内の上面における係止片を弾性的に挟着させることにより、矩形枠の前後両面にパネル材の上端部を取り付けるようにする。
【０００８】
（２）  上記（１）項において、挟着部材を、パネル材本体の遊片に取り付ける。
【０００９】
（３）  上記（１）項または（２）項において、挟着部材を、パネル材における上端部の左右方向に所望の間隔をとって複数設ける。
【００１０】
（４）  上記（１）〜（３）項のいずれかにおいて、挟着部材を、相互に近接する方向に弾性が作用する前後１対の弾性遊片の上端部間を拡開して形成し、これら前後の弾性遊片でもってパネル材本体における上端縁の内向きコ字状の遊片を挟持可能にするとともに、この遊片を挟持した１対の弾性遊片のうちの前後方向の外側に位置する弾性遊片に、前記遊片に向けて折曲した下向き係止爪を形成し、かつこの係止爪を、前記遊片に設けた係合孔に係着させることにより、パネル材の上端部に挟着部材を取り付ける。
【００１１】
（５）  上記（１）〜（４）項のいずれかにおいて、パネル材本体の下端縁における内向きコ字状の遊片を、断面が外向きコ字状になるように屈曲して、上下方向の外向きに開口する係合溝を形成するとともに、この係合溝に、矩形枠内の下面における係止片を係着させることにより、矩形枠の前後両面にパネル材の下端部を取り付けるようにする。
【発明の効果】
【００１２】
本発明によると、各請求項に記載の発明においては、次のような効果が奏せられる。
【００１３】
請求項１記載の発明によれば、パネル材を、方形の金属板の内面の少なくとも上下端縁が内向きコ字状に屈曲されたパネル材本体によって形成し、パネル材本体の内向きコ字状をなす上端縁における遊片と、パネル材本体に別途設けた挟着部材が備える弾性遊片とを、前後方向に対向させることによって、上下方向の外向きに拡開する係合部を形成し、この係合部に、前記矩形枠内の上面における係止片を弾性的に挟着させることにより、矩形枠の前後両面にパネル材の上端部を取り付けるようにしてあるため、パネル材の製造に際して、組立工数を削減することができ、生産効率を高めることができるとともに、パネル材における上端部の矩形枠への取付けを簡易化することができる。
これにより、現場において短時間に組み付けることができ、施工能率に優れるとともに、パネル材に形成した係合部に、矩形枠に形成した係止片を弾性的に挟着させて取り付けているため、地震の振動や衝撃等によるパネル材の脱落を有効に防止することができる。
【００１４】
請求項２載の発明によれば、挟着部材を、パネル材本体の遊片に取り付けてあるため、挟着部材をパネル材本体に後付することができ、パネル材における上端部の矩形枠への取付けを簡易化することができる。
【００１５】
請求項３記載の発明によれば、挟着部材を、パネル材における上端部の左右方向に所望の間隔をとって複数設けてあるため、パネル材の矩形枠への係着手段を簡易化することができる。
【００１６】
請求項４記載の発明によれば、挟着部材を、相互に近接する方向に弾性が作用する前後１対の弾性遊片の上端部間を拡開して形成し、これら前後の弾性遊片でもってパネル材本体における上端縁の内向きコ字状の遊片を挟持可能にするとともに、この遊片を挟持した１対の弾性遊片のうちの前後方向の外側に位置する弾性遊片に、前記遊片に向けて折曲した下向き係止爪を形成し、かつこの係止爪を、前記遊片に設けた係合孔に係着させることにより、パネル材の上端部に挟着部材を取り付けてあるため、工場や現場において、挟着部材をパネル材本体に後付することができ、これにより、現場において短時間に組み付けることができ、施工能率に優れる。
【００１７】
請求項５記載の発明によれば、パネル材本体の下端部における内向きコ字状の遊片を、断面が外向きコ字状になるように屈曲して、上下方向の外向きに開口する係合溝を形成するとともに、この係合溝に、矩形枠内の下面における係止片を係着させることにより、矩形枠の前後両面にパネル材の下端部を取り付けるようにしてあるため、パネル材における下端部の矩形枠への取付けを簡易化することができる。
【発明を実施するための最良の形態】
【００１８】
以下、本発明を、図面に基づいて説明する。
図１は、本発明における一実施形態の間仕切パネル装置の全体斜視図、図２は、図１において、間仕切パネル装置を構成する矩形枠からパネル材を取り外した状態を示す分解斜視図、図３は、図１におけるIII−III線の拡大縦断面図、図４は、図３において、間仕切パネル装置における上端部および中間部の一部を省略して示す下端部近傍の部分拡大縦断面図、図５は、パネル材の拡大縦断面図である。
【００１９】
図１および図２に示すように、本発明の間仕切パネル装置１は、左右に立設した支柱２、２間に、これらの支柱２、２の上端部２ａ、２ａ同士を連結する上部横連結杆３と、支柱２、２の下端部２ｂ、２ｂ同士を連結する下部横連結杆４と、支柱２、２の上下方向の中間部同士を連結する中間横連結杆５をそれぞれ架設して形成された上段矩形枠６、中段矩形枠７、下段矩形枠８内に、パネル材９を取り付けることによって構成されている。
【００２０】
図３に示すように、支柱２、２の下端部２ｂ、２ｂ間に架設した下部横連結杆４は、床面１０に配設された第１アジャスタ装置１１によって固定されているとともに、支柱２、２の上端部２ａ、２ａ間に架設した上部横連結杆３は、天井１２に配設された第２アジャスタ装置１３によって固定されている。
【００２１】
図４に示すように、下部横連結杆４には、上向きに延びる前後１対の係止片１４、１４が設けられているとともに、これら各係止片１４の内側面における上端部には、内向きに膨出しうるように突出させた係止部１４ａが形成されている。
【００２２】
上部横連結杆３には、前記した下部横連結杆４を上下逆向きに形成したものと同様に、図３に示すように、下向きに延びる前後１対の係止片１５、１５が設けられているとともに、これら各係止片１５の内側面における下端部には、内向きに膨出しうるように突出させた係止部１５ａが形成されている。
【００２３】
中間横連結杆５は、左右方向に延びる下向きコ字状の第１チャネル材１６と、この第１チャネル材１６の上面に接合される上向きコ字状の第２チャネル材１７とにより形成されている。
【００２４】
第１チャネル材１６は、前後１対の下向きに延びる係止片１８、１８を備えるとともに、各係止片１８の下端は、前後方向の内向きにほぼＵ字状に折り返されて、前後方向に膨らみのある係止部１８ａが形成されている。
【００２５】
第２チャネル材１７は、前後１対の上向きに延びる係止片１９、１９を備えるとともに、これら係止片１９、１９の間隔を、第１チャネル材１６における前後１対の係止片１８、１８間の間隔よりも少し小さく形成されている。
【００２６】
中間横連結杆５は、両チャネル材１６、１７を接合させてスポット溶接することにより、互いに一体化させて形成されるようになっているとともに、上面の１対の係止片１９、１９が、下面の１対の係止片１８、１８よりも前後方向の内側に設けられている。
【００２７】
すなわち、上段矩形枠６における上下面の前後には、上下方向に互いに対向する１対の係止片１５、１９が、中段矩形枠７における上下面の前後には、上下方向に互いに対向する１対の係止片１８、１９が、下段矩形枠８における上下面の前後には、上下方向に互いに対向する１対の係止片１８、１４がそれぞれ形成され、これらの上下の係止片を利用して、各矩形枠６、７、８の前後両面に、それぞれパネル材９が取り付けられるようになっている。
【００２８】
図５に示すように、パネル材９は、方形の鋼板の各周縁を内向きコ字状に屈曲して形成したパネル材本体２０からなるとともに、このパネル材本体２０の内面の下端縁２０ａにおける内向きコ字状の遊片２１を、断面が外向きコ字状になるように屈曲することにより、この屈曲片２２によって上下方向の外向きに開口する係合溝２３が形成されている。
【００２９】
係合溝２３には、図３、図４に示すように、各矩形枠６、７、８内の下面における係止片１９、１４が係着され、これにより、各矩形枠６、７、８の前後両面にパネル材９の下端部９ａが、それぞれ取り付けられるようになっている。
【００３０】
図２、図３および図４に示すように、パネル材９における上端部９ｂの内面には、左右方向に所定の間隔を存して３個の挟着部材２４が設けられている。
【００３１】
図６は、挟着部材の拡大斜視図、図７は、挟着部材２４をパネル材本体２０の上端縁２０ｂに取り付けた状態を示す要部拡大縦断面図である。
【００３２】
挟着部材２４は、図６に示すように、相互に近接する方向に弾性が作用する前後１対の弾性遊片２５、２６によって形成されている。
一方の弾性遊片２５の上端部２５ａは、他方の弾性遊片２６から離間して上向きに拡開するように屈曲させることにより、前後の弾性遊片２５、２６の上端部間が上向きに拡開するように形成されている。
他方の弾性遊片２６には、一方の弾性遊片２５側に向けて当接しうるように折曲した下向きの係止爪２７が切起し形成されている。
【００３３】
挟着部材２４は、図７に示すように、前後の弾性遊片２５、２６間に、パネル材本体２０における上端縁２０ｂの内向きコ字状の遊片２１を介在させて挿入することにより、一方の弾性遊片２５の内面とパネル材本体２０の遊片２１との間に係合部２８が形成されている。
これにより、前後の弾性遊片２５、２６でもってパネル材本体２０における上端縁２０ｂの内向きコ字状の遊片２１を挟持可能にするとともに、他方の弾性遊片２６に形成した下向き係止爪２７の下端部２７ａを、パネル材本体２０における上端縁２０ｂの内向きコ字状の遊片２２に設けた係合孔２９の内周縁に係着させることにより、パネル材９の上端部９ｂに挟着部材２４が取り付けられている。
【００３４】
このように、前後の弾性遊片２５、２６間に、図３、図４に示すように、各矩形枠６、７、８内の上面における係止片１５、１８が挟着されるように組み付けることにより、各矩形枠６、７、８の前後両面にパネル材９の上端部９ｂが、それぞれ取り付けられている。
【００３５】
すなわち、パネル材９を各矩形枠６、７、８に取り付けるには、次の手順による。
まず、下段の矩形枠８の上枠を構成する中間横連結杆５の下向きの係止片１８における係止部１８ａに、パネル材９の上端部９ｂにおける挟着部材２４の前後の弾性遊片２５、２６を圧入状態で挿入して、前後の弾性遊片２５、２６を互いに離間する方向に拡開させながら、そのまま上方に移動させる。
【００３６】
次いで、矩形枠８の下枠を構成する下部横連結杆４における上向き係止片１４における係止部１４ａに、パネル材９の下端部９ａにおける係合溝２３を係着させて、パネル材９を下方に移動させることにより、下段の矩形枠８にパネル材９を取り付ける。
【００３７】
同様にして、中段および上段の矩形枠７、６のそれぞれに、順次、パネル材９を取り付けて、図３に示すように、各矩形枠の前後両面に、パネル材９を組み付けることにより、間仕切パネル装置１が完成される。
【図面の簡単な説明】
【００３８】
【図１】本発明における一実施形態の間仕切パネル装置の全体斜視図である。
【図２】、図１において、間仕切パネル装置を構成する矩形枠からパネル材を取り外した状態を示す分解斜視図である。
【図３】図１におけるIII−III線の縦断面図である。
【図４】図３において、間仕切パネル装置における上端部および中間部の一部を省略して示す下端部近傍の部分拡大縦断面図である。
【図５】パネル材の拡大縦断面図である。
【図６】挟着部材の拡大斜視図である。
【図７】挟着部材をパネル材本体の上端縁に取り付けた状態を示す要部拡大縦断面図である。
【符号の説明】
【００３９】
１    間仕切パネル装置
２    支柱
２ａ  上端部
２ｂ  下端部
３    上部横連結杆
４    下部横連結杆
５    中間横連結杆
６    上段矩形枠
７    中段矩形枠
８    下段矩形枠
９    パネル材
９ａ  下端部
９ｂ  上端部
１０  床面
１１  第１アジャスタ装置
１２  天井
１３  第２アジャスタ装置
１４  係止片
１４ａ  係止部
１５  係止片
１５ａ  係止部
１６  第１チャンネル部材
１７  第２チャンネル部材
１８  係止片
１９  係止片
２０  パネル材本体
２０ａ  下端縁
２０ｂ  上端縁
２１  遊片
２２  屈曲片
２３  係合溝
２４  挟着部材
２５  弾性遊片
２５ａ  上端部
２６  弾性遊片
２７  係止爪
２７ａ  下端
２８  係合部
２９  係合孔
【図１】
0005143632.tif 000002
【図２】
0005143632.tif 000003
【図３】
0005143632.tif 000004
【図４】
0005143632.tif 000005
【図５】
0005143632.tif 000006
【図６】
0005143632.tif 000007
【図７】
0005143632.tif 000008